(57)【要約】  原子炉用の燃料集合体１は、上流端部１ａを画定する上流小部分３と、主部分５と、下流端部１ｂを画定する下流小部分４とを含む。燃料棒２は、燃料棒と接触しながら燃料集合体を通る冷却材の流れを可能にする、流動空間６中に延びる。２つの細長管７は、燃料棒と平行に延び冷却材の流れを囲い込むそれぞれの内部流路を形成する。各細長管は、底部と、上流小部分に流入口２１と、下流小部分に流出口２２を含む。各細長管は流入パイプ２３を含み、パイプは、流入端２４と、内部流路中の底部から或る距離に流出端２５とを有し、これにより、内部流路中の流出端と底部との間にスペースが形成される。【選択図】図１
2019529894.tif 000002
【特許請求の範囲】
【請求項１】
水型原子炉内に設置されるように構成された燃料集合体（１）であって、
上流端部（１ａ）を画定する上流小部分（３）と、
下流端部（１ｂ）を画定する下流小部分（４）と、
前記上流小部分（３）と前記下流小部分（４）とを連結している主部分（５）と、
前記上流端部（１ａ）および前記下流端部（１ｂ）を通って延びる長手軸（ｘ）と平行に配置された複数の細長い燃料棒（２）と、
前記上流端部（１ａ）と前記下流端部（１ｂ）との間の流動空間（６）であって、前記流動空間（６）は、流れ方向（Ｆ）に沿って前記上流端部（１ａ）から前記下流端部（１ｂ）への前記燃料棒（２）と接触しながら前記燃料集合体（１）を通る冷却材の流れを可能にするように構成される、流動空間（６）と、
前記燃料棒（２）と平行に前記主部分（５）を通って延びる内部流路（８）を形成し、前記内部流路（８）を通る前記冷却材の流れを可能にする、少なくとも１つの細長管（７、３７）であって、前記細長管（７、３７）は、底部（２０）、前記上流小部分（３）にある前記内部流路（８）への流入口（２１）、および前記下流小部分（４）にある前記内部流路（８）からの流出口（２２）を含む、細長管（７、３７）と、
を含み、
前記細長管（７、３７）は、前記流入口（２１）を形成する流入パイプ（２３）を含み、
前記流入パイプ（２３）は、流入端（２４）および流出端（２５）を有し、
前記流出端（２５）は、前記底部（２０）からの或る距離で前記内部流路（８）内に配置され、これにより、前記流出端（２５）と前記底部（２０）との間の前記内部流路（８）内にスペース（２６）を形成する、
ことを特徴とする、燃料集合体。
【請求項２】
前記細長管（７、３７）は内径（Ｄ）を有し、前記流入パイプ（２３）は、前記流出端（２５）において、前記細長管（７、３７）の前記内径（Ｄ）より小さい外径（ｄ）を有する、請求項１に記載の燃料集合体。
【請求項３】
前記流入端（２４）は、前記長手軸（ｘ）に非平行な平面に沿って延びる開口を形成する、請求項１または２のいずれか一項に記載の燃料集合体。
【請求項４】
前記流入パイプ（２３）は前記底部（２０）を通して延びる、請求項１〜３のいずれか一項に記載の燃料集合体。
【請求項５】
前記スペース（２６）は、前記流入パイプ（２３）周りの環状スペースである、請求項４に記載の燃料集合体。
【請求項６】
前記細長管（７、３７）は、前記底部（２０）を形成する底端部プラグ（２７）を含み、前記流入パイプ（２３）はが前記底端部プラグ（２７）を通して延びる、請求項４または５のいずれか一項に記載の燃料集合体。
【請求項７】
前記流出端（２５）は、前記底部（２０）の下流側少なくとも０．２ｍの距離に配置される、請求項１〜６のいずれか一項に記載の燃料集合体。
【請求項８】
前記細長管（７、３７）は円筒形状である、請求項１〜７のいずれか一項に記載の燃料集合体。
【請求項９】
前記細長管（７、３７）は、磁性材料を前記底部（２０）の方に引き付けるため備えられた少なくとも１つの磁石（２８）を含む、請求項１〜８のいずれか一項に記載の燃料集合体。
【請求項１０】
前記燃料集合体（１）は、前記燃料棒（２）の上流の前記上流小部分（３）にデブリフィルタ（１６）を含む、請求項１〜９のいずれか一項に記載の燃料集合体。
【請求項１１】
前記流入端（２４）は前記デブリフィルタ（１６）の上流に配置される、請求項１０に記載の燃料集合体。
【請求項１２】
前記流入端（２４）は前記デブリフィルタの下流に配置される、請求項１０に記載の燃料集合体。
【請求項１３】
前記燃料集合体（１）は、沸騰水型原子炉内に配置されるように構成され、前記細長管（７）は、前記内部流路（８）を通して非沸騰水を搬送するためのウォーターロッドを含む、請求項１〜１２のいずれか一項に記載の燃料集合体。
【請求項１４】
前記燃料集合体（１）は、各々が前記それぞれの内部流路（８）を通して非沸騰水を搬送するためのウォーターロッドを含む少なくとも２つの細長管（７）を含む、請求項１３に記載の燃料集合体。
【請求項１５】
前記燃料集合体（１）は、加圧水型原子炉中に配置されるように構成され、前記細長管（３７）は制御棒を受けるための案内管を含む、請求項１〜１３に記載の燃料集合体。
【発明の詳細な説明】
【技術分野】
【０００１】
本発明は、水型原子炉（ｎｕｃｌｅａｒ  ｗａｔｅｒ  ｒｅａｃｔｏｒ）、特に、原子力発電所の重水型原子炉または、沸騰水型原子炉ＢＷＲ（ｂｏｉｌｉｎｇ  ｗａｔｅｒ  ｒｅａｃｔｏｒ）もしくは加圧水型原子炉ＰＷＲ（ｐｒｅｓｓｕｒｉｚｅｄ  ｗａｔｅｒ  ｒｅａｃｔｏｒ）などの軽水型原子炉ＬＷＲ（ｌｉｇｈｔ  ｗａｔｅｒ  ｒｅａｃｔｏｒ）の中に配置されるように構成された燃料集合体に関する。
【０００２】
さらに正確に言えば、本発明は、上流端部を画定する上流小部分と、下流端部を画定する下流小部分と、上流部分と下流部分とを連結している主部分と、上流端部および下流端部を通って延びる長手軸と平行に配置された複数の細長い燃料棒と、上流端部と下流端部との間の流動空間であって、上流端部から下流端部への流れ方向に沿って燃料棒と接触しながら燃料集合体を通る冷却材の流れを可能にするように構成される流動空間（ｆｌｏｗ  ｉｎｔｅｒｓｐａｃｅ）と、燃料棒と平行に主部分を通って延びる内部流路を形成し、内部流路を通る冷却材の流れを可能にする、少なくとも１つの細長管であって、底部、上流部分に内部流路への流入口、および下流部分に内部流路からの流出口を含む細長管と、を含む、水型原子炉に配置されるように構成された燃料集合体に関する。
【０００３】
内部流路を通る冷却材の流れを可能にするこの細長管の目的は、燃料集合体中に非沸騰の減速用水を提供すること、あるいは、この水型原子炉の運転が中断されるときに、燃料集合体の中に制御棒を導入するためのガイドを提供することであってよい。
【０００４】
この細長管は、円形、楕円形、多角形、十字形など、いろいろな断面形状を有してよい。
【背景技術】
【０００５】
特許文献１は、水型原子炉のための燃料集合体を開示している。この燃料集合体は、下部タイプレートのキャビティ内のネットワークセクションの下に配置された遮蔽プレートを備える下部タイプレートを含む。この遮蔽プレートは、遮蔽プレートによって下部タイプレートが上側部分と下側部分とに分離されるように、ほぼ水平に配置される。管状フィルタは、管状フィルタが遮蔽プレートの下方と上方とに開口を有するように遮蔽プレートに取付けられる。この管状フィルタの上端は閉じられている。
【０００６】
特許文献２は、複数の燃料棒およびデブリフィルタを含む、原子炉用の燃料集合体を開示しており、フィルタは、上流端部と燃料棒との間の冷却材の流れの中に設けられ、冷却材の流れの中のデブリ粒子を捕捉するように構成される。このフィルタデバイスは、冷却材に対する複数の通り穴を含む。
【０００７】
水型原子炉中の冷却材の目的は、冷却液および減速材として機能することである。燃料の適切な冷却および中性子の適切な減速を確実にするためには、燃料集合体を通る冷却材の流れを確保することが重要である。
【０００８】
前述した管状フィルタおよびデブリフィルタの目的は、冷却材中のデブリ粒子を捕捉し、これにより、燃料集合体中のより高い位置に、特にデブリ粒子が燃料棒の被覆加工に腐食をもたらす可能性のあるスペーサ中にデブリ粒子が捕捉されるのを防止することである。腐食（ｆｒｅｔｔｉｎｇ）は、一次欠陥である被覆加工を貫通する小さな穴を、次いで後の段階で二次欠陥すなわち燃料棒の破損をもたらし、この破損が冷却材中へのウラニウムの漏出をもたらす可能性がある。二次欠陥発生の場合には、原子炉の運転を中断し故障した燃料棒を交換する必要がある。かかる交換は時間を消費しコストがかかる。冷却材中のデブリ粒子は、当然ながら原子力発電所中の他の構成部、例えばポンプなどの不具合の原因にもなり得る。
【先行技術文献】
【特許文献】
【０００９】
【特許文献１】米国特許出願第２００３／０１２８７９８号
【特許文献２】米国特許第６，１７５，６０６号
【発明の概要】
【発明が解決しようとする課題】
【００１０】
現在市販され、燃料集合体中に使用されているデブリフィルタは、例えば、これら粒子がワイヤ粒子である場合約７ｍｍなど、或る特定のサイズを上回るデブリ粒子を捕捉するように寸法取りされている。これより小さなデブリ粒子は、無害であるかおよび／またはスペーサに捕捉される確率は低いと見なされている。問題は、かかるより小さなデブリ粒子は無限に循環することになり、捕捉される確率が低いとしても、何百万ものデブリ粒子が捕捉される機会を有することになることである。かかる循環しているより小さなデブリ粒子が原子炉中で自然沈下することはない。
【００１１】
本発明の目的は、前述した問題を改善し、デブリ粒子、特に、デブリフィルタで捕捉されない小さなデブリ粒子を自然沈下させることである。
【課題を解決するための手段】
【００１２】
この目的は、最初に定義された燃料集合体によって達成され、この燃料集合体は、細長管が流入口を形成する流入パイプを含むことと、流入パイプが流入端および流出端を有することと、流出端が内部流路内の底部からの或る距離に配置され、これにより内部流路中の流出端と底部との間にスペースが形成されることと、を特徴とする。
【００１３】
かかる流入パイプが細長管の中に延びることによって、冷却材によって内部流路に持ち込まれたデブリ粒子、特に小さなデブリ粒子は、細長管の底部直ぐ上のスペースの中に効率的な仕方で捕捉することができる。
【００１４】
流入パイプの流出端を出て内部流路に入るとき、内部流路中に流乱または局所的サブ圧力が形成されることになり、いかなるあり得る粒子も冷却材の流れから分離され、底部に向かってスペースの中を沈下することを可能にし、粒子はそこに留まることになる。そして、これら粒子が、燃料集合体、および原子力発電所のいずれかのさらなる構成部に何らかの欠陥を生じさせるのが防止されることになる。
【００１５】
本発明の一実施形態によれば、この細長管は或る内径を有し、流入パイプはその流出端において細長管の内径よりも小さな外径を有する。結果として、流入パイプは、内部流路の流れの面積よりも小さな流れの面積を有することになり、そして、冷却材の流れの流速は、冷却材が内部流路に入ったとき減少することになって圧力の低下が生じる。このような仕方で、前記流乱または局所的サブ圧力が確保されることになる。
【００１６】
本発明のさらなる実施形態によれば、流入端は、長手軸に非平行な平面に沿ってまたは平面中に延びる開口を形成する。流入パイプの流入端の開口は、そして冷却材の流れの方に向けられることになり、これは、流入パイプおよび内部流路への冷却材のかなりの流れの流入を確実にする。有利には、開口の平面は、長手軸にそして冷却材の流れに対し横向きに延びることが可能である。具体的には、開口の平面は、長手軸に対し垂直またはほぼ垂直であってよい。
【００１７】
本発明のさらなる実施形態によれば、流入パイプは底部を貫通して延びる。これは、製造の観点から有利である。さらに、流入パイプのこのような伸張は、細長管の外側で流入パイプに必要なスペースを、そして冷却材の流れへの一切の悪影響を最小化することを可能にする。
【００１８】
本発明のさらなる実施形態によれば、このスペースは、流入パイプ周りの環状のスペースである。
【００１９】
本発明のさらなる実施形態によれば、この流入パイプは、細長管と同心である。
【００２０】
本発明のさらなる実施形態によれば、細長管は、底部を形成する前記底端部プラグを含み、流入パイプは、この底部端プラグを貫通して延びる。流入パイプおよび底端部プラグは、そして共同構成部を形成し、この構成部は、従来の方法で細長管の端部に取付けることができる。
【００２１】
本発明のさらなる実施形態によれば、流出端はこの底部の下流側少なくとも０．２ｍの距離に配置される。そして、スペースは少なくとも０．２ｍの高さを有することになり、これは、あり得るデブリ粒子が、細長管の底に沈下することを可能にするのに十分なサブ圧力生成するに足りると見なされる。好ましくは、この距離は少なくとも０．３ｍ、より好ましくは少なくとも０．４ｍ、さらに最も好ましくは０．５ｍである。
【００２２】
本発明のさらなる実施形態によれば、この細長管は円筒形状である。
【００２３】
本発明のさらなる実施形態によれば、この細長管は円形の断面を有することができる。但し、この細長管は、楕円形の断面、正方形または矩形の断面、三角形の断面、多角形の断面、または十字形の断面など、任意の可能な断面を有してよい。
【００２４】
本発明のさらなる実施形態によれば、この細長管は、磁性材料を底部の方に引き付けるため備えられた少なくとも１つの磁石を含む。かかる少なくとも１つの磁石は、永久磁石を含んでよいが、電磁石とすることも可能である。
【００２５】
さらなる実施形態によれば、少なくとも１つの磁石は、細長管の底部に配置された１つ、２つ、３つ、４つの、またはさらに多くの磁石を含んでよい。
【００２６】
本発明のさらなる実施形態によれば、燃料集合体は、燃料棒の上流の上流小部分にまたはその中にあるデブリフィルタを含む。かかるデブリフィルタは、或る特定のサイズを上回る全てのデブリ粒子を捕捉することになる。
【００２７】
本発明のさらなる実施形態によれば、流入端は、デブリフィルタの上流に配置される。この場合、流入パイプは、したがってこのデブリフィルタを通して延びることになる。全てのデブリ粒子は、そして細長管のスペース中に回収することができる。
【００２８】
本発明のさらなる実施形態によれば、流入端はデブリフィルタの下流に配置される。この別形においては、デブリフィルタの捕捉されなかったデブリ粒子、すなわち相対的に小さなデブリ粒子だけが細長管のスペース中に収集されることになる。
【００２９】
本発明のさらなる実施形態によれば、燃料集合体は、沸騰水型原子炉の中に配置するように構成され、細長管は、内部流路を通して非沸騰水を搬送するためのウォーターロッドを含む。
【００３０】
本発明のさらなる実施形態によれば、燃料集合体は、各々がそれぞれの内部流路を通して非沸騰水を搬送するためのウォーターロッドを含む、少なくとも２つの細長管を含む。例えば、燃料集合体は、各々がそれぞれの内部流路を通して非沸騰水を搬送するためのウォーターロッドを含む、３つの細長管を含んでもよい。
【００３１】
本発明のさらなる実施形態によれば、燃料集合体は、加圧水型原子炉中に配置されるように構成され、その細長管は制御棒を受けるための案内管を含む。例えば、燃料集合体は、各々がそれぞれの制御棒を受けるための案内管を含む、複数の細長管を含んでよい。
【００３２】
以降に、様々な実施形態の説明を通し、本明細書に添付された図面を参照しながら、本発明をさらに詳しく解説することする。
【図面の簡単な説明】
【００３３】
【図１】本発明の第１実施形態および第２実施形態による、燃料集合体を通る縦断面を概略的に表す。
【図２】図１の燃料集合体の細長管の一部分を通る縦断面を概略的に表す。
【図３】本発明の第３実施形態による、燃料集合体の細長管の一部分を通る縦断面を概略的に表す。
【図４】本発明の第４実施形態による、燃料集合体の細長管の一部分を通る縦断面を概略的に表す。
【図５】本発明の第５実施形態による、燃料集合体の細長管の一部分を通る縦断面を概略的に表す。
【図６】本発明の第６実施形態および第七実施形態による、燃料集合体を通る縦断面を概略的に表す。
【発明を実施するための形態】
【００３４】
図１は、水型原子炉、さらに正確には沸騰水型原子炉すなわちＢＷＲ内に配置するように構成された燃料集合体１の第１実施形態を表す。燃料集合体１は、細長の形状を有し、燃料集合体１の上流端部１ａと下流端部１ｂとの間の長手軸ｘに沿って延びる。原子炉内の燃料集合体１の通常の使用の過程において、上流端部１ａは燃料集合体１の下端部を形成し、下流端部１ｂは上端部を形成する。
【００３５】
複数の細長い燃料棒２は、長手軸ｘに平行に配置される。各燃料棒２は、被覆管と、例えば燃料パレットの形で被覆管に包含された核燃料（開示せず）とを含む。
【００３６】
燃料棒２は、完全長の燃料棒、および部分長の燃料棒を含んでよい。部分長の燃料棒は、例えば、完全長の燃料棒の長さの１／３および／または２／３の長さを有してよい。図１には、完全長の燃料棒だけが示されている。
【００３７】
燃料集合体１は、上流端部１ａを画定する上流小部分３、および下流端部１ｂを画定する下流小部分４を含む。主部分５は、上流小部分３と下流小部分４との間に設けられこれらを連結する。主部分５と上流小部分３との間、および主部分５と下流小部分４との間の境界は、図１中に横方向の点線で示されている。
【００３８】
主部分５は、上流小部分３および下流小部分４それぞれの軸長さよりも長い軸長さを有する。
【００３９】
さらに、主部分５の軸長さは上流小部分３および下流小部分４の軸長さの和よりも長くてよい。
【００４０】
燃料集合体１は、上流端部１ａと下流端部１ｂとの間に流動空間６を画定する。この流動空間６は上流端部１ａから下流端部１ｂの流れの方向Ｆに沿って燃料集合体１を通る冷却材の燃料棒２に接触しながらの流れを可能にするように構成される。
【００４１】
図２を参照すると、この第１実施形態において、燃料集合体１は、燃料棒２と平行に主部分５を通って延びる、それぞれの内部流路８を形成する２つの細長管７も含む。細長管７は、それぞれの内部流路８を通る冷却材の流れを可能にする。この第１実施形態では、細長管７は、冷却材、特に非沸騰水の流れを囲い込む、いわゆるウォーターロッドを形成する。なお、細長管７の数は、２以外の数、例えば１、３、４、５、６以上であってもよい。
【００４２】
この第１実施形態では、細長管７は、円筒形状である。具体的に細長管７は円形の断面を有してよい。
【００４３】
燃料棒２は、元来から周知の仕方で、スペーサ９によって保持される。この第１実施形態では、スペーサ９は細長管７に取付けられる。
【００４４】
また、第１実施形態の燃料集合体１は、燃料棒２、スペーサ９、および流動空間６を囲い込むケーシング１０を含む。
【００４５】
細長管７は、燃料棒２の真下に設けられた底板１１に取付けられる。
【００４６】
さらに、細長管７はその下流端部１ｂで上板１２にも取付けられる。上板１２は把手１３を含む。底板１１、細長管７、上板１２、およびスペーサ９は、支持構造本体を形成する。この支持構造本体は把手１３を使って持ち上げることができ、燃料棒２の重量を支える。
【００４７】
この第１実施形態では、図１中に見ることができるように、各細長管７は、底板１１に取付けられた管部分７ａと、上板１２に取付けられた大きな棒を形成する固体部分７ｂとを含む。
【００４８】
燃料集合体１は、しばしば連絡材とも呼ばれる底部材１４を含む。底部材１４は上流端部１ａに延び、冷却材の流れのための流入開口１５を画定する。底部材１４は、底板１１またはケーシング１０に取付けられてよい。
【００４９】
燃料集合体１は、燃料棒の上流側の上流小部分３にまたはその中にデブリフィルタ１６を含む。デブリフィルタ１６は、上流端部１ａと燃料棒２との間に設けられる。この第１実施形態では、デブリフィルタ１６は、上流端部１ａと底板８との間に設けられる。デブリフィルタ１６は、底板１１によって支持されるかまたはこれに取付けられてよい。
【００５０】
この第１実施形態において、細長管７の各々は、底部２０と、上流小部分３にある、内部流路８への流入口２１と、下流小部分４にある、内部流路８からの流出口２２とを含む。流出口２２は、細長管７の管部分７ａの下流端に配置される。
【００５１】
また、図２中に見ることができるように、細長管７は、内部流路８への流入口２１を形成する流入パイプ２３も含む。有利には、流入口２１の流れの面積は、流出口２２の流れの面積よりも小さい。
【００５２】
流入パイプ２３は、流入端２４および流出端２５を有する。流出端２５は、内部流路８の内側に底部２０からの或る距離に配置される。このようにして、内部流路８中の流出端２５と底部２０との間にスペース２６が形成される。
【００５３】
細長管７は内径Ｄを有する。流入パイプ２３は、その流出端２５で外径ｄを有し、これは細長管７の内径Ｄよりも小さい。
【００５４】
流入パイプ２３の入力端２４は、長手軸ｘに非平行な平面ｐに沿って延びる開口を形成する。この第１実施形態では、平面ｐは長手軸ｘに垂直である。
【００５５】
この第１実施形態において、流入パイプ２３は細長管７の底部２０を貫通して、特に底部２０を貫通して同心円状に延びる。
【００５６】
この第１実施形態では、前述したスペース２６は、細長管７の流入パイプ２３周りの環状スペースである。
【００５７】
細長管７は、底部２０を形成する底端部プラグ２７を含む。そして、流入パイプ２３は底端部プラグ２７を貫通して延びる。流入パイプ２３と底端部プラグと２７は、例えば、挿入され溶接されることによって細長管７の端部に取付けられる共同構成部を形成することができる。
【００５８】
流入パイプ２３の流出端２５は、底部２０からの或る距離に配置される。具体的に、流出端２５は、底部２０の下流側０、２ｍまたは少なくとも０．２ｍに配置される。
【００５９】
さらに具体的には、この底部２０からの下流側距離は、少なくとも０．３ｍ、少なくとも０．４ｍ、または少なくとも０．５ｍであってよい。
【００６０】
この底部２０からの下流側距離は、最大で１ｍにすることが可能である。
【００６１】
さらに、細長管７は、随意的に、磁性材料すなわち磁性デブリ粒子を底部２０の方に引き付けるため備えられた少なくとも１つの磁石２８を含んでよい。この第１実施形態には２つの磁石２８が示されているが、１つ、３つ、４つ、５つの、またはさらに多くの磁石を底部２０の近くに備えることが可能である。これらの磁石は、スペース２６に配置される。磁石２８は、永久磁石であってよい。
【００６２】
磁石または磁石群２８は、任意の適切な形状であってよく、例えば、流入パイプ２３の周りに設けられた１つの環状磁石とすることも可能であろう。
【００６３】
この第１実施形態において、流入パイプ２３の流入端２４はデブリフィルタ１６の上流に配置される。これは、図１の右側の流入パイプ２３によって示されている。
【００６４】
第２実施形態において、流入パイプ２３の流入端２４はデブリフィルタ１６の下流に配置される。これは、図１の左側の流入パイプ２３によって示されている。この第２実施形態では、流入端は、底板１１の上流に配置されてよい。
【００６５】
図３は第３実施形態を示し、この実施形態は、流入パイプ２３が、細長管７の内部スペース８中に偏心的に延びている点で、第１実施形態とは異なる。さらに、流入パイプ２３の流入端２４は底部プラグ２７の上流側表面に配置される。そして、流入端２４は、デブリフィルタ１６の下流に、また細長管７がどのように底板１１に取付けられているかの如何によっては、おそらくは底板１１に対しても下流に配置される。
【００６６】
図４は第４実施形態を示し、この実施形態は、流入パイプ２３が湾曲または屈曲されている点で第１実施形態とは異なる。流入パイプ２３は、図４中に見ることができるように、細長管７の側面を通して内部流路８の中に延びている。そして、スペース２６は環状ではない。
【００６７】
図５は第５実施形態を示し、この実施形態は、流入パイプ２３が湾曲または屈曲されている点で第１実施形態とは異なる。但し、この流入パイプ２３は、偏心的に底部２０を通り、底部プラグ２７を通して延びる。さらに、流入パイプ２３の流出端２５は、垂直にまたはほぼ垂直に伸びている。
【００６８】
なお、流入パイプ２３の構成はさらに改造することが可能である。特に、第１から第５の実施形態に示された、流入パイプ２３、および細長管７へのその取付け方の全ての多様な特徴は相互に組合せることができる。
【００６９】
図６は第６実施形態を示し、この実施形態は、燃料集合体１が加圧水型原子炉に配置されるように構成されるという点で第１実施形態とは異なる。
【００７０】
なお、開示された全ての実施形態において、類似のまたは一致する要素に対しては同じ参照符号が使われている。
【００７１】
また、第６実施形態による燃料集合体１は、細長の形状を有し、長手軸ｘに沿って燃料集合体１の上流端部１ａと下流端部１ｂとの間に延びる。原子炉中の燃料集合体１の通常の使用の過程において、上流端部１ａは燃料集合体１の下端部を形成し、下流端部１ｂは上端部を形成する。上流端部１ａと下流端部１ｂとの間には流動空間６が設けられる。
【００７２】
上流端部１ａと下流端部１ｂとの間の流動空間６の中に、複数の燃料棒２が備えられる。これら燃料棒２は、スペーサ９によって保持される。この第６実施形態において、スペーサ９は、いくつかの細長管３７に付着され、図６中にはそのうちの２つが示されている。細長管３７は、燃料棒２と平行に主部分５を通って延びる、それぞれの内部流路８を形成し、内部流路８を通る冷却材の流れを可能にする。各細長管３７は、ＰＷＲの運転が中断されるときに制御棒を受けるように構成された、いわゆる案内管を形成する。制御棒は、下流端部１ｂからすなわち上方から細長管３７の中に導入される。
【００７３】
ＢＷＲ用の燃料集合体１と対照的に、第６実施形態による燃料集合体１は、ケーシングを有さないが、前述した流動空間６はなお含む。
【００７４】
細長管３７は、燃料棒２の真下に設けられた底板１１と、下流端部１ｂにある上板１２と、に取付けられる。底板１１、細長管７、上板１２、およびスペーサ９は支持構造本体を形成し、支持構造本体は燃料棒２の重量を支える。
【００７５】
また、燃料集合体１は底部材１４も含む。底部材１４は、上流端部１ａに延び、冷却材の流れのための流入口１５を画定する。底部材１４は底板１２に取付けられてよい。
【００７６】
また、第６実施形態の燃料集合体１は、燃料棒２の上流の上流小部分３にデブリフィルタ１６を含む。
【００７７】
前の諸実施形態に関連して上記で説明したように、第６実施形態による細長管３７の各々は、底部２０と、上流小部分３に、内部流路８への流入口２１と、下流小部分４に、内部流路８からの流出口２２とを含む。
【００７８】
また、細長管３７は、図２中に見ることができるように、内部流路８への流入口２１を形成する流入パイプ２３を含む。有利には、流入口２１の流れの面積は、流出口２２の流れの面積よりも小さい。
【００７９】
流入パイプ２３は、流入端２４および流出端２５を有する。流出端２５は、内部流路８の内側の、底部２０からの或る距離に配置される。このようにして、内部流路８中の流出端２５と底部２０との間にスペース２６が形成される。
【００８０】
なお、第６実施形態における流入パイプ２３の構成および細長管３７中の流入パイプ２３の配置は、図２〜図５に表し、前に説明した第１から第５の実施形態と同様であってもよい。
【００８１】
本発明は、開示された実施形態に限定されるものでなく、添付の特許請求の範囲内で変更し改造することが可能である。
【図１】
2019529894.tif 000003
【図２】
2019529894.tif 000004
【図３】
2019529894.tif 000005
【図４】
2019529894.tif 000006
【図５】
2019529894.tif 000007
【図６】
2019529894.tif 000008
【国際調査報告】
2019529894.tif 000009
2019529894.tif 000010
2019529894.tif 000011